(57)【特許請求の範囲】
【請求項１】
端子金具を収容するキャビティを備えたハウジング本体と、このハウジング本体のうち前記端子金具に接続されている電線が導出される部分に着脱可能に装着される一対の電線保持部材とを備え、
前記各電線保持部材は前記電線が挿通可能な電線挿通開口を備えると共に、ハウジング本体に対して仮係止位置と本係止位置との間で移動可能とされ、この各電線保持部材が前記仮係止位置にあるときには前記端子金具及び電線が前記電線挿通開口を自由に挿通し、前記本係止位置にあるときには前記電線が前記電線挿通開口の開口縁部によって屈曲されて電線が抜け止め状態に保持されるようにしたコネクタであって、
前記一対の電線保持部材は、前記ハウジング本体に対して互いに上下逆方向に移動可能に装着されていることを特徴とするコネクタ。
【請求項２】
前記一対の電線保持部材は同一形状であって、互いに上下反転した状態で、前記ハウジング本体に装着されていることを特徴とする請求項１記載のコネクタ。
【発明の詳細な説明】
【０００１】
【発明の属する技術分野】
本発明は電線を抜け止め保持できるようにしたコネクタに関する。
【０００２】
【従来の技術】
コネクタが使用される状況下では、ハウジングから引き出された電線に引っ張り力が作用することがある。この引っ張り力がハウジング内の端子金具の係止部に直接及ぶことを回避するために、電線を抜け止め保持できるようにしたコネクタがある。例えば、この種のコネクタとして特開平７−６８１５号に開示されたものが知られている。これは、図１２に示すように、コネクタハウジング２の後端部４から複数の電線３が引き出されているとともに、その後端部４の側縁には電線支持部５が延出して一体に形成されており、電線３群の下方及び側方を覆っている。
【０００３】
そして、このコネクタ１はコネクタハウジング２とは別パーツの電線押圧用クランプ６を備えており、これが、電線支持部５を覆う大きさに形成された基板部７の両側縁から下方に延びる一対の取付け片９を有すると共に、そのすぐ内側に一対の電線押圧片８が下向きに形成されている。
上記構成において、電線押圧用クランプ６を電線支持部５に取付けた状態では、電線支持部５を構成する電線支持壁１０と電線押圧用クランプ６の電線押圧片８によって、両端側に配置される電線３を屈曲させて抜け止め状態に保持することができる。
【０００４】
【発明が解決しようとする課題】
しかしながら、上記構造では、コネクタハウジング２に電線支持部５が一体に延設されているため、電線保持を必要としない場合でもコネクタ１の容積が大きいままとなる。このため、容積効率を考慮すると事実上、同一のコネクタハウジングを電線保持が必要な場合と、不要な場合とで共用することはできず、それぞれ専用ハウジングとなってしまうという問題があった。
【０００５】
また、もう一方の構成部品である電線押圧用クランプ６はコネクタハウジング２とは別部品となっているとともに仮止め手段を備えていない。そのため、コネクタ１を組み立てる際には、コネクタハウジング２に端子金具を挿入した後に、あらためて電線押圧用クランプ６を電線支持部５に取り付けるといった作業が必要となる。こうした組み付け作業は煩わしいことに加え、組立工程が多くなってしまい、コストアップの原因となる。
本発明は上記のような事情に基づいて完成されたものであって、組み付け作業性に優れ、かつ汎用性のあるコネクタを提供することを目的とする。
【０００６】
【課題を解決するための手段】
上記の目的を達成するための手段として、請求項１の発明に係るコネクタは、端子金具を収容するキャビティを備えたハウジング本体と、このハウジング本体のうち前記端子金具に接続されている電線が導出される部分に着脱可能に装着される一対の電線保持部材とを備え、前記各電線保持部材は前記電線が挿通可能な電線挿通開口を備えると共に、ハウジング本体に対して仮係止位置と本係止位置との間で移動可能とされ、この各電線保持部材が前記仮係止位置にあるときには前記端子金具及び電線が前記電線挿通開口を自由に挿通し、前記本係止位置にあるときには前記電線が前記電線挿通開口の開口縁部によって屈曲されて電線が抜け止め状態に保持されるようにしたコネクタであって、前記一対の電線保持部材は、前記ハウジング本体に対して互いに上下逆方向に移動可能に装着されているところに特徴を有する。
【０００７】
請求項２の発明は、請求項１に記載のものにおいて、前記一対の電線保持部材は同一形状であって、互いに上下反転した状態で、前記ハウジング本体に装着されているところに特徴を有する。
【０００８】
【発明の作用及び効果】
＜請求項１の発明＞
請求項１の発明によれば、電線保持部材は、仮係止位置と本係止位置とで選択的に係止可能であり、仮係止位置においては端子金具及び電線の挿通が可能となっている。そこで、コネクタの組立を行う前に予め電線保持部材をハウジング本体に取り付けて仮係止位置にセットしておき、その状態で端子金具の挿入作業をすることができる。そして、端子金具を挿入した後に、電線保持部材を本係止位置に移動させれば、電線が電線保持部材の電線挿通開口の開口縁部によって屈曲されて電線が抜け止め状態に保持される。従って、端子金具の挿入後に、あらためて電線押圧用クランプを組み付けるといった煩わしい作業を行うこともなく、コネクタの組立性に優れる。
【０００９】
しかも、一対の電線保持部材はハウジング本体に対して着脱可能に取付けられるものであるから、電線保持を必要としない場合には、ハウジング本体に両電線保持部材を取り付けることなく端子金具を挿入すればよく、それによりコネクタは最小の体積となって無駄がなくなり、ハウジング本体の共用化を図ることができる。
【００１０】
＜請求項２の発明＞
請求項２の発明は、一対をなす電線保持部材は互いに上下反転した状態で、ハウジング本体に対して互いに逆方向に移動可能に装着されているから、一対の電線保持部材を同一部品によって構成することができ、部品種類数を削減することができる。
【００１１】
【発明の実施の形態】
以下、本発明の実施形態を添付図面に基づいて説明する。
＜第１実施形態＞
本発明の第１実施形態を図１ないし図１１によって説明する。
【００１２】
図１において、２１は雌型のハウジング本体であり、内部には、上下二段のキャビティ２２がハウジング本体２１の前後方向に沿って貫通して形成されており、電線４０の端部において露出する芯線４１をかしめつけて固定した端子金具４２を収容可能としている。また、ハウジング本体２１の側面２４には各キャビティ２２と連通する凹部２４Ａが設けられ、ここにリテーナ４３が装着される。
詳しくは説明しないが、リテーナ４３は、仮係止位置と本係止位置の２段階で係止可能となっており、仮係止位置では、リテーナ４３に設けられた係止部４３Ａ、４３Ｂはキャビティ２２内部に進入しておらず、キャビティ２２に対する端子金具４２の挿入作業が可能となっている。各キャビティ２２内の前端寄りの位置には、片持ち状のランス２３が撓み可能に形成されており、キャビティ２２内に収容された端子金具４２を弾性的に係止して抜け止めを行う。
【００１３】
そして、前記したリテーナ４３を本係止位置に移動させた時には、リテーナ４３の各係止部４３Ａ、４３Ｂがキャビティ２２内に進入しつつ、前記端子金具４２を係止して抜け止めがなされる。前記凹部２４Ａが設けられた側面２４と反対側の側面２５には片持ち状のロックアーム２６が撓み可能に設けられており、雄コネクタハウジング（図示せず）と正規に嵌合がなされたときに、雄コネクタハウジングを係止して両コネクタハウジングを嵌合状態に保持することができる。
【００１４】
ハウジング本体２１のうちキャビティ２２から電線４０が導出される面２９（後面）には一対の電線保持部材５０、６０が装着されており、以下これらについて説明する。
まず、電線保持部材５０は、図８ないし図１１に示すように、ハウジング本体２１の後面２９を覆う大きさに形成された基板部５１の側縁の全周に亘って側壁５２を設けており、全体として断面コの字状をなし前方に向けて開放している。基板部５１には、幅広に形成された電線挿通開口５６が上・下二段に設けられており、各段の電線挿通開口５６は各段の全てのキャビティ２２に連なる大きさに形成されている。
【００１５】
また、図９ないし図１０に示すように、側壁５２のうち左右両側壁５２Ａの先端側は、前方に延出して取付け部５３を構成している。この取付け部５３の内幅（図９に示すＥ寸法）はハウジング本体２１の左右両側面３０、３１の外幅（図５に示すＧ寸法）とほぼ等しくなっており、電線保持部材５０を嵌め合わすことができるようになっている。この取付け部５３に上下方向に並ぶ３個の係止孔５４（各係止孔５４の符号は、下から、５４ａ、５４ｂ、５４ｃとする）を等間隔で設けつつ、取付け部５３の先端縁にて開口するＬ字状のスリット５８を設けてあり、これにて取付け部５３がハウジング本体２１の幅方向に撓み可能とされている。
【００１６】
そして、図７に示すように、ハウジング本体２１の左右両側面３０、３１には下面を傾斜状にした突起３２が設けられている。そのため、電線保持部材５０が下方から上方に向かって押し付けられた時には、取付け部５３が突起３２の傾斜面に沿って拡開するように撓み、所定の位置で突起３２が係止孔５４に嵌合するようようになっている。
【００１７】
また、左右両側壁５２Ａは図９に示すように、取付け部５３に比べて取付け部５３の肉厚分だけ内側に入り込んだ段差状に形成されおり、対向する側壁５２Ａ間の外幅（図９中Ｆ寸法）と取付け部５３間の内幅（図９中Ｅ寸法）とがほぼ等しくなっている。また、電線保持部材５０の左右両側壁５２Ａの外面には、前記したハウジング本体２１の突起３２と上下逆形状の突起５７が設けられている。一方、電線保持部材６０は、上述した電線保持部材５０と同一形状であり、互いに上下逆向きにして使用される。そこで、電線保持部５０と同一部分には同一符号を付して重複する説明を省略する。
【００１８】
次に、上記のように構成された本実施形態の作用効果を具体的に説明する。
ハウジング本体２１から導出される電線４０の保持が必要な場合には、次のように組み立てを行う。まず、ハウジング本体２１の後面２９に、予め一対の電線保持部材５０、６０を上・下逆向きに取り付けて仮係止位置にセットしておく。
【００１９】
これには、ハウジング本体２１の両側面３０、３１に対して電線保持部５０の取付け部５３を嵌め合わせつつ、下方から上方へ電線保持部材５０を押し込んでゆき、図３の（Ａ）に示すように、ハウジング本体２１の突起３２と電線保持部材５０の係止孔５４ｃとを嵌合させる。そして、次に、電線保持部材５０の両側壁５２Ａに対して電線保持部材６０の取付け部５３を嵌め合わせつつ、上方から下方に電線保持部材６０を押し込んでゆき、電線保持部５０の突起５７と電線保持部材６０の係止孔５４ｃとを嵌合させる。この仮係止位置では、図１に示すように、各電線挿通開口５６がハウジング２１本体の各段のキャビティ２２に一致した位置となる。そのため、キャビティ２２後方の空間は開放され、端子金具４２の挿入が可能となっている。
【００２０】
そして、次に、ハウジング本体２１に設けた凹部２４Ａに対してリテーナ４３を押し込んでゆき、仮係止位置にセットする。尚、この仮係止位置では、リテーナ４３はキャビティ２２に対する端子金具４２の挿入作業を何ら阻害するものではない。
そこで、端子金具４２の挿入作業を行い、キャビティ２２に設けられたランス２３に端子金具４２を係止する。（図１参照）。
そして、全ての端子金具４２の挿入作業が完了した後に、仮係止位置にあるリテーナ４３を更に押し込んで本係止位置に移動させる。これにより、リテーナ４３の各係止部４３Ａ、４３Ｂが端子金具４２を係止して抜け止めがなされる。
【００２１】
次に、両電線保持部材５０、６０を仮係止位置から本係止位置へ移動させる。それには、まず、仮係止位置にある電線保持部材５０を下方から上方に押し込み、図３の（Ｂ）に示すように、ハウジング本体２１の突起３２と電線保持部材５０の係止孔５４ｂとを嵌合させる。そして、次に、電線保持部材６０を上方から下方に押し込み電線保持部材５０の突起５７と電線保持部材６０の係止孔５４ａとを嵌合させる。
この本係止位置では、各電線挿通開口５６が、上・下に位置をずらした関係となるため、電線４０が各電線挿通開口５６の各開口縁部によって逆Ｕ字状に屈曲されて抜け止め状態に保持される（図２参照）。
【００２２】
一方、電線４０の保持を必要としない場合には、ハウジング本体２１に電線保持部材５０、６０を取り付けることなく端子金具４２を挿入すればよく、それによりコネクタは最小の体積となって無駄がなくなり、ハウジング本体２１の共用化を図ることができる。
【００２３】
このように本実施形態によれば、電線４０の保持を必要とする場合には、コネクタの組立を行う前に、予め、別工程で電線保持部材５０、６０をハウジング本体２１に取り付けて仮係止位置にセットしておけば、その状態で端子金具４２の挿入作業をすることができる。そのため、端子金具４２の挿入工程では、挿入作業を集中して行うことができ、作業性に優れる。
【００２４】
そして、端子金具４２を挿入した後に、電線保持部材５０、６０を本係止位置に移動させれば、電線４０が電線保持部材５０、６０の電線挿通開口５６の開口縁部によって屈曲されて電線４０が抜け止め状態に保持される。
更に、一対をなす電線保持部材５０、６０は互いに上下反転した状態で、ハウジング本体２１に対して互いに逆方向に移動可能に装着されているから、一対の電線保持部材５０、６０を同一部品によって構成することができ、部品種類数を削減することができる。
【００２５】
ところで、本実施形態では、ハウジング本体２１には上下２段のキャビティ２２が設けられており、各キャビティ２２に電線４０が装着される。この電線４０を保持するには、例えば、電線挿通開口５６を上下のキャビティ２２に連なる大きさに設定して上下の電線４０同士をまとめて保持することもできる。しかし、このような場合、各電線挿通開口５６の開口縁間に上下二つの電線４０を上下に重ねた状態で保持することになるため、各電線４０の位置関係によっては、十分に電線４０の保持が出来ない場合が生ずる。
しかし、本実施形態では、電線４０を挿通させる電線挿通開口５６もキャビティ２２と対応して上下２段となっており、各段毎に電線４０を挿通させるようになっている。従って、各電線挿通開口５６の各開口縁間には各段毎に電線４０が収容されるため、確実に電線４０を保持することができる。
【００２６】
また、本実施形態では、電線保持部材５０、６０に設けられた電線挿通開口５６は、ハウジング本体２１から引き出される各段の全てのキャビティ２２に連なる大きさに形成されており、横幅が広い設定としてある。そのため、電線挿通開口５６の横幅を、予め、フラットケーブル等のサイズに合わせておけば、フラットケーブルが装着されるコネクタにも共用することができる。
【００２７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２８】
（１）本実施形態では、両電線保持部材を互い違いの２方向に移動させたが、一方の電線保持部材をハウジング本体に移動不能な状態で装着し、この電線保持部材に対して他方の電線保持部材を移動可能に装着して１方向に移動させることにより、電線をＬ字状に保持してもよい。
【図面の簡単な説明】
【図１】本発明の第１実施形態において電線保持部材を仮係止位置にした状態を示す断面図
【図２】電線保持部材を本係止位置にした状態を示す断面図
【図３】電線保持部材を仮係止位置及び本係止位置で示す分解側面図
【図４】端子金具装着後の状態を示す側面図
【図５】その平面図
【図６】その背面図
【図７】ハウジング本体の背面図
【図８】電線保持部材の正面図
【図９】その平面図
【図１０】その側面図
【図１１】図８中のＤ−Ｄ断面図
【図１２】従来例の斜視図
【符号の説明】
２１…ハウジング本体
２２…キャビティ
２９…後面
３２…突起
４２…端子金具
４０…電線
５０…電線保持部材
５１…基板部
５３…取付け部
５４…係止孔
５６…電線挿通開口
６０…電線保持部材
【図１】
0003591484.tif 000002
【図２】
0003591484.tif 000003
【図３】
0003591484.tif 000004
【図４】
0003591484.tif 000005
【図５】
0003591484.tif 000006
【図６】
0003591484.tif 000007
【図７】
0003591484.tif 000008
【図８】
0003591484.tif 000009
【図９】
0003591484.tif 000010
【図１０】
0003591484.tif 000011
【図１１】
0003591484.tif 000012
【図１２】
0003591484.tif 000013